(57)【特許請求の範囲】
【請求項１】
ディスク駆動メカニズムを搭載し、ガイドレールにより、ドライブ本体に対してスライド自在に支持されたドロワと、
前記ガイドレールに設けられたリセット突起部と、
一端側で揺動自在に前記ドロワに軸支されたロックレバーであって、他端側に前記ドライブ本体側のドロワロック部に係合して前記ドロワを前記ドライブ本体にロックする係止部と、側部に自己保持型ソレノイドの可動片に係合するソレノイド係合部と、前記ガイドレール側に前記ドロワが前記ドライブ本体内に進入する時には前記ガイドレールの前記リセット突起に押圧され、前記ドロワが前記ドライブ本体から排出される時には前記リセット突起部と離脱されるバネ性突起部とが一体形成されたロックレバーと、
前記ドロワが前記ドライブ本体内に進入する時、前記ロックレバーの前記バネ性突起部が前記ガイドレールの前記リセット突起部に押圧されて前記ロックレバーを揺動しロック可能位置に規制し、イジェクト時に前記ロックレバーを前記ガイドレール側に揺動する前記自己保持型ソレノイドと、を備え、
前記自己保持型ソレノイドへの通電により、前記ロックレバーの前記係止部と前記ドライブ本体側の前記ドロワロック部との係合を解き、前記ドロワをドライブ本体からリリースすることを特徴とする光ディスク装置。
【請求項２】
前記ロックレバーの前記係止部は、バネ性を有し、前記ドライブ本体側のドロワロック部の斜面に沿って変形可能であることを特徴とする請求項１に記載の光ディスク装置。
【請求項３】
前記ロックレバーは、ポリアセタール樹脂で形成したことを特徴とする請求項１に記載の光ディスク装置。
【請求項４】
ディスク駆動メカニズムを搭載し、ガイドレールにより、ドライブ本体に対してスライド自在に支持されたドロワと、
リセット突起部が形成され、前記ドロワを保護する底板と、
一端側で揺動自在に前記ドロワに軸支されたロックレバーであって、他端側に前記ドライブ本体側のドロワロック部に係合して前記ドロワを前記ドライブ本体にロックする係止部と、側部に自己保持型ソレノイドの可動片に係合するソレノイド係合部と、前記ガイドレール側に前記ドロワが前記ドライブ本体内に進入する時には前記底板の前記リセット突起部に押圧され、前記ドロワが前記ドライブ本体から排出される時には前記リセット突起部と離脱されるバネ性突起部とが一体形成されたロックレバーと、
前記ドロワが前記ドライブ本体内に進入する時、前記ロックレバーの前記バネ性突起部が前記底板の前記リセット突起に押圧されて前記ロックレバーを揺動しロック可能位置に規制し、イジェクト時に前記ロックレバーを前記ガイドレール側に揺動する前記自己保持型ソレノイドと、を備え、
前記自己保持型ソレノイドへの通電により、前記ロックレバーの前記係止部と前記ドライブ本体側の前記ドロワロック部との係合を解き、前記ドロワをドライブ本体からリリースすることを特徴とする光ディスク装置。
【請求項５】
前記ロックレバーは前記自己保持型ソレノイドの可動片の保持力より小さい付勢力を持つ解除バネで付勢されていることを特徴とする請求項１又は４記載の光ディスク装置。
【発明の詳細な説明】
【技術分野】
【０００１】
本発明は、光ディスク装置に関し、特に、ドロワのロック・リリース機構に特徴を有したノートパソコン搭載用のスリム型光ディスク装置に関する。
【背景技術】
【０００２】
一般的に、光ディスク装置には、ディスクを駆動するディスク駆動メカニズムが搭載されたドロワが設けられ、ドロワはロック・リリース機構によって光ディスク装置本体に対して挿抜自在に構成されている。例えば、ドロワの排出方向における先端部にリリース機構を備え、光ディスク装置の前面に設けられたイジェクトボタンを押すことにより、ドロワが装置本体から排出され、一方、排出されたドロワをユーザが手動により装置本体内に挿入すると、ドロワが装置本体内に収納された状態で保持されるといったものである。
【０００３】
このようなロック・リリース機構を備えた光ディスク装置として、例えば、ディスクを駆動するディスク駆動ユニットが搭載され、筐体に対し挿抜自在なドロワと、筐体又はドロワのいずれかに設けられたロック部と、ドロワが筐体内に挿入されたとき、ドロワが筐体内に保持されるようロック部と係合するロック位置に移動可能なロックレバーと、ロックレバーをロック位置に定位させる力を発生する吸着手段と、筐体に対しドロワを抜脱方向に付勢するとともに、ロックレバーをロック位置から移動するように付勢するための付勢手段と、付勢手段の付勢力によりロックレバーがロック位置から移動し筐体内からドロワが排出されるよう、吸着手段の吸着力に抗する力を発生させロックを解除するロック解除手段を備えたものが知られている（例えば、特許文献１参照。）。
【０００４】
また、自己保持型ソレノイド方式によるロック・リリース機構を光ディスク装置の小さな空間へ容易に無理なく実装できるようにするものとして、例えば自己保持型ソレノイドへパルス電圧を印加することによりロック・リリース機構を作動し、ディスク装填部を開放するようにしたディスク装置において、自己保持型ソレノイドの可動片に連動するとともに、ロックピンに係合する係止部を備えたロックレバーと、ドロワを閉じたとき自己保持型ソレノイドの可動片を張引するように付勢される一方、ドロワを開放したとき去勢される解除バネとからなるロック・リリース機構を備えたディスク装置が提案されている（例えば、特許文献２参照。）。
【特許文献１】特開２０００−１３７９３７号公報
【特許文献２】特開２００３−７７２６２号公報
【発明の開示】
【発明が解決しようとする課題】
【０００５】
特許文献１に示される従来例にあっては、部品点数が比較的多くコスト及び工数がかかることと、部品構成によるレイアウトの制約からロックレバーの形状及び大きさが制限され、十分なロック強度を実現できないという問題があった。
【０００６】
また、ノートパソコン搭載用のスリム型光ディスク装置では、ノートパソコンの携帯時や使用時に衝突や落下等があった場合、外部からロック・リリース機構に過大な衝撃力が加わり、ロック・リリース機構が破損することがあった。特許文献２に示される従来例にあっては、このような外部からの衝撃に対するは配慮はなされていなかった。
【０００７】
本発明は、上記した問題点を解決するために提案されたものであり、部品点数を削減することによりコスト及び工数の削減を図ると共に、部品数削減によって得られるスペースを活用してロックレバーの形状及び大きさに自由度を持たせ、耐衝撃強度及び耐久性を向上させることを目的としている。
【課題を解決するための手段】
【０００８】
本発明の一態様によれば、
ディスク駆動メカニズムを搭載し、ガイドレールにより、ドライブ本体に対してスライド自在に支持されたドロワと、
前記ガイドレールに設けられたリセット突起部と、
一端側で揺動自在に前記ドロワに軸支されたロックレバーであって、他端側に前記ドライブ本体側のドロワロック部に係合して前記ドロワを前記ドライブ本体にロックする係止部と、側部に自己保持型ソレノイドの可動片に係合するソレノイド係合部と、前記ガイドレール側に前記ドロワが前記ドライブ本体内に進入する時には前記ガイドレールの前記リセット突起に押圧され、前記ドロワが前記ドライブ本体から排出される時には前記リセット突起部と離脱されるバネ性突起部とが一体形成されたロックレバーと、
前記ドロワが前記ドライブ本体内に進入する時、前記ロックレバーの前記バネ性突起部が前記ガイドレールの前記リセット突起に押圧されて前記ロックレバーを揺動しロック可能位置に規制し、イジェクト時に前記ロックレバーを前記ガイドレール側に揺動する前記自己保持型ソレノイドと、を備え、
前記自己保持型ソレノイドへの通電により、前記ロックレバーの前記係止部と前記ドライブ本体側の前記ドロワロック部との係合を解き、前記ドロワをドライブ本体からリリースすることを特徴とする光ディスク装置が提供される。
【０００９】
前記ロックレバーの係止部はバネ性を有し、ドライブ本体側のドロワロック部の斜面に沿って変形可能である。
【００１０】
また、ロックレバーは自己保持型ソレノイドの可動片の保持力より小さい付勢力を持つ解除バネで付勢されているのが、好ましい。
【発明の効果】
【００１１】
本発明によれば、部品点数を削減することにより、コスト及び工数の削減を図ると共に、部品削減によって得られるスペースを活用してロックレバーの形状及びボリュームに自由度を持たせ、耐衝撃強度及び耐久性を向上させることができる。
【発明を実施するための最良の形態】
【００１２】
以下、本発明の実施の形態について、図面を参照しながら説明する。尚、各図において同一箇所については同一の符号を付すとともに、重複した説明は省略する。
【００１３】
図１は光ディスク装置全体を裏側から見た斜視図である。図１に示すように、ディスク駆動メカニズムＭが搭載されたドロワ１とドロワ１の底部側を保護するための底板２が設けられている。ドロワ１は、底板２に対してスライド可能になっており、そのためドロワ１をスライド自在に支持するガイドレール３，３がドロワ１の左右に配設されている。ドロワ１のフロントパネル近傍には、ロック・リリース機構が配設されており、装置全体の裏側からは、ロック・リリース機構のメイン部品であるロックレバー４が見える。
【００１４】
図２及び図３はロック・リリース機構の詳細を示す斜視図である。図２はドロワの一部を切り欠いて表側から見た様子を示し、図３は裏側から見た様子を示している。
【００１５】
ロック・リリース機構は、ソレノイド係合突起部４ａとリセットバネ突起４ｂとロックバネ突起４ｃを有するロックレバー４、自己保持型ソレノイド５、ガイドレール３に設けられたリセット用突起３ａ、解除バネ６、ドライブ本体側のドロワロック用突起７から成っている。
ロックレバー４はフロントパネル９側のガイドレール３の近傍の角部にガイドレール３に並んで配設され、ドロワ１に設けられたピン４ｄによってガイドレール３側と自己保持型ソレノイド５側に揺動可能に軸支されている。ロックレバー４は、全体としてバネ性を持たせるため、例えばポリアセタール樹脂成型品とするのが好適である。
自己保持型ソレノイド５は、ソレノイド内部に永久磁石を装備し、吸着後電源をオフにしても可動鉄芯の吸着状態を保持する。復帰の際は、吸引と逆パルス信号又は、復帰側コイルへのパルス信号により復帰する。吸引時に永久磁石のアシストがあるため、吸引力が強力である。また、吸着時に電力が不要なため、コイルの温度上昇がほとんどない。自己保持型ソレノイド５の可動鉄芯と平行する向きに、解除バネ６がロックレバー４とドロワとの間に取り付けられ、この解除バネ６によりロックレバー４が自己保持型ソレノイド５による吸着方向に付勢されている。尚、解除バネ６の付勢力が、自己保持型ソレノイドの可動片の保持力より小となるように設定するのが好ましい。
【００１６】
ロックレバー４と自己保持型ソレノイド５は、ソレノイド係合突起部４ａで係合している。このソレノイド係合突起部４ａは、ロックレバー４と一体的に形成されている。したがって、ロックレバー４は自己保持型ソレノイド５の動作に従って揺動する。
【００１７】
ロックレバー４の略中央付近でガイドレール３に対向した側の位置に、リセットバネ突起４ｂが形成されている。このリセットバネ突起４ｂは、ロックレバー４の側面から帯状体が円弧状に張り出し、帯状体の先端はより厚さの厚い（高さの高い）傘部と成っている。
【００１８】
ガイドレール３には、ドロワ１がドライブ本体に挿入される時にこのリセットバネ突起４ｂのスライド範囲の所定の位置に、リセット突起３ａが一体的に形成されている。リセットバネ突起４ｂがリセット突起３ａに当接することにより、ドロワ１のロックレバー４が吸着方向に揺動される。
【００１９】
ロックレバー４のフロントパネル側の端部には、ロックバネ部４ｃが一体的に形成され、ドライブ本体の底板２の端部に形成され、斜面を持ったドロワロック用突起７に係合し、ドロワ１がドライブ本体に保持（ロック）されている。
【００２０】
次に、図４（ａ）乃至図４（ｆ）により、ロック・リリース機構の作用を説明する。
【００２１】
図４（ａ）はドロワ１がドライブ本体から排出された状態を示している。この位置から矢印方向ヘドロワ１がドライブ本体に押入される。この時、ロックレバー４は自己保持型ソレノイド５の作用でリセット位置に付勢されている。また、ガイドレール３のリセット突起３ａとロックレバー４のリセットバネ突起４ｂは離れた位置にあり、当接していない。
【００２２】
図４（ｂ）にて、ドロワ１をドライブ本体の中に進入させていくと、ロックレバー４のリセットバネ突起４ｂは、ガイドレール３に形成したリセット突起３ａに押圧され、バネの弾性力で変形する。併せて、ロックレバー４は図面中、時計廻り（自己保持型ソレノイド５側）に揺動され、ロックレバー４のソレノイド係合突起部４ａと係合した自己保持型ソレノイド５のソレノイド鉄心がソレノイドに吸着され、ロック可能位置にて規制される。この自己保持型ソレノイド５の吸着後電源をオフにしても可動鉄芯の吸着状態を保持する作用により、ロックレバー４の位置は保たれたままとなる。
【００２３】
図４（ｃ）に示すように、さらにドロワ１がドライブ本体の中に進入すると、ロックレバー４のロックバネ部４ｃがドライブ本体側のドロワロック用突起７の斜面に沿って変形して、ドロワロック用突起７を乗り越える。
【００２４】
図４（ｄ）に示すように、ロックレバー４のロックバネ部４ｃとドライブ本体側のドロワロック用突起７と係止して、ドロワ１のドライブ本体側へのロックが完了する。
【００２５】
そして例えば、フロントパネル９のイジェクトボタンが押され、ドロワ１をドライブ本体から排出される際は、図４（ｅ）に示すように、ドライブ本体側から自己保持型ソレノイド５ヘイジェクト信号に従ったパルス電圧が加えられる。
【００２６】
そのパルス電圧により、図４（ｅ）に示すように自己保持型ソレノイド５が通電され、鉄心がガイドレール３側に押し出されることによりロックレバー４は半時計廻りに揺動する。その結果、ロックレバー４のロックバネ部４ｃがドライブ本体側のドロワロック用突起７との係止からはずれるので、ドロワ１は排出自由となる。同様に、自己保持型ソレノイド５の作用により、ロックレバー４の揺動後の位置は保たれたままとなる。
【００２７】
ドロワ１の排出進行により、図４（ｆ）では、ガイドレール３側リセット突起３ａの内壁に沿ってロックレバー４のリセットバネ突起４ｂの傘部が動くことにより、リセットバネ突起４ｂを変形させながらリセット突起３ａから離脱し、図４（ａ）に示す排出された状態となる。つまり、ドロワ１の排出方向にあっては、ロックレバー４のリセットバネ突起４ｂとガイドレール３側のリセット突起３ａとが干渉することなく、スムーズな排出が行われる。
【００２８】
以上、図４（ａ）から図４（ｆ）の作用の繰り返しによりドロワのロック・リリースが行われる。
【００２９】
上述した実施形態では、リセット突起３ｂをガイドレール側に設けたが、これに限られない。
【００３０】
図５は、本発明の別の実施形態に係るロック・リリース機構を表側から見た斜視図である。本実施の形態では、リセット突起８を底板２と一体的に形成している。このリセット突起８はドライブ本体内部で、かつドロワ１側のロックレバー４の構成にしたがった所望の位置にて配設することができる。
【００３１】
以上説明したように、本実施の形態では、部品点数・工数削減による省コスト・省スペース化が可能となり、また製造時における、組み立て性の向上が図れるため組み立て時のミス低減が図れ、さらに、部品点数低減による信頼性の向上が図れる。また、ガイドレールとドロワとを同時に付勢可能なる構成により、がたつき防止効果の向上が図れる。特に、高スピード時における振動防止効果が得られ、騒音の低減が図れる。
【００３２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３３】
【図１】本発明の実施形態に係る光ディスク装置全体を裏側から見た斜視図である。
【図２】ドロワのロック・リリース機構を表側から見た斜視図である。
【図３】ドロワのロック・リリース機構を裏側から見た斜視図である。
【図４ａ】ドロワのロック・リリース機構の動きを説明するための図である。
【図４ｂ】ドロワのロック・リリース機構の動きを説明するための図である。
【図４ｃ】ドロワのロック・リリース機構の動きを説明するための図である。
【図４ｄ】ドロワのロック・リリース機構の動きを説明するための図である。
【図４ｅ】ドロワのロック・リリース機構の動きを説明するための図である。
【図４ｆ】ドロワのロック・リリース機構の動きを説明するための図である。
【図５】本発明の別の実施形態に係るロック・リリース機構を表側から見た斜視図である。
【符号の説明】
【００３４】
１０・・・光ディスク装置、１・・・ドロワ、２・・・底板、３・・・ガイドレール、３ａ・・・リセット突起、４・・・ロックレバー、４ａ・・・ソレノイド係合突起部、４ｂ・・・リセットバネ突起、４ｃ・・・ロックバネ突起、４ｄ・・・ピン、５・・・自己保持型ソレノイド、６・・・解除バネ、７・・・ドロワロック用突起、９・・・フロントパネル。
【図１】
0004090466.tif 000002
【図２】
0004090466.tif 000003
【図５】
0004090466.tif 000004
【図３】
0004090466.tif 000005
【図４ａ】
0004090466.tif 000006
【図４ｂ】
0004090466.tif 000007
【図４ｃ】
0004090466.tif 000008
【図４ｄ】
0004090466.tif 000009
【図４ｅ】
0004090466.tif 000010
【図４ｆ】
0004090466.tif 000011